(57)【要約】【課題】仮固定用の光硬化型接着剤を用いても、吐出特性に影響を与える重要箇所にまで前記接着剤が流れ出さない安全な接合ができ、動作信頼性に優れた液滴吐出ヘッドを提供する。【解決手段】ノズル１０、圧力室１１、振動板１６を有する流路ユニット７と、駆動素子２２やダミー素子２３を有するアクチュエーターユニット６を備え、駆動素子２２と振動板１６が個々に接着される液滴吐出ヘッドで、駆動素子２２と振動板１６は第１の接着剤３０で接合され、ダミー素子２３振動板１６の周囲と光硬化型の第２の接着剤３１で接合され、光硬化型接着剤の未硬化接着剤が第１の接着剤３０側に流れ出るのを防止する第３の接着剤３２が、第１の接着剤３０と第２の接着剤３１の間に設けられている。【選択図】図４
2010201781.tif 000002
【特許請求の範囲】
【請求項１】
列状に配置された複数のノズルと、そのノズルに夫々連通するように列状に配置された複数の圧力室と、各圧力室の一側壁をなすように列状に配置された複数の振動板を有する流路ユニットと、
前記振動板に対応して列状に配置された複数の駆動素子と、その駆動素子列の両端に配置された駆動素子群支持部を有するアクチュエーターユニットとを備え、
前記駆動素子の自由端と前記振動板とが個々に対応するように位置合わせして接着剤で接合される液滴吐出ヘッドにおいて、
前記駆動素子の自由端と前記振動板は第１の接着剤で接合され、前記駆動素子群支持部は前記振動板の周囲と光硬化型の第２の接着剤で接合されて、前記光硬化型接着剤の未硬化接着剤が前記第１の接着剤側に流れ出るのを防止する第３の接着剤が、前記第１の接着剤と前記第２の接着剤の間に設けられていること特徴とする液滴吐出ヘッド。
【請求項２】
請求項１に記載の液滴吐出ヘッドにおいて、前記両端に駆動素子群支持部を有する駆動素子列が複数列設けられて、その隣り合う駆動素子群支持部と駆動素子群支持部の間に前記第３の接着剤の一部が入り込んでいることを特徴とする液滴吐出ヘッド。
【請求項３】
請求項１または２に記載の液滴吐出ヘッドにおいて、前記第１の接着剤と前記第３の接着剤が同じ材料であることを特徴とする液滴吐出ヘッド。
【請求項４】
請求項１ないし３のいずれか１項に記載の液滴吐出ヘッドにおいて、前記第１の接着剤と前記第３の接着剤が耐インク性の接着剤であることを特徴とする液滴吐出ヘッド。
【請求項５】
請求項１ないし４のいずれか１項に記載の液滴吐出ヘッドにおいて、前記駆動素子群支持部は前記駆動素子よりも広い接合面積を有し、その駆動素子群支持部の駆動素子側に前記第３の接着剤が設けられ、その駆動素子群支持部の第３の接着剤の外側に前記第２の接着剤が設けられていることを特徴とする液滴吐出ヘッド。
【請求項６】
列状に配置された複数のノズルと、そのノズルに夫々連通するように列状に配置された複数の圧力室と、各圧力室の一側壁をなすように列状に配置された複数の振動板を有する流路ユニットを形成する工程と、
前記振動板に対応して列状に配置された複数の駆動素子と、その駆動素子列の両端に配置された駆動素子群支持部を有するアクチュエーターユニットを形成する工程と、
前記流路ユニットとアクチュエーターユニットを接着剤で一体化する工程を含む液滴吐出ヘッドの製造方法において、
前記流路ユニットとアクチュエーターユニットを接着剤で一体化する工程が、
前記各駆動素子の自由端に第１の接着剤を塗布する第１塗布工程と、
前記駆動素子群支持部の前記駆動素子側に第３の接着剤を塗布する第２塗布工程と、
前記駆動素子群支持部の第３の接着剤の外側、または前記駆動素子群支持部の第３の接着剤の外側と対向する前記流路ユニットの部分に光硬化型の第２の接着剤を塗布する第３塗布工程と、
前記流路ユニットとアクチュエーターユニットを位置決め・接合して、前記第２の接着剤に光を照射して第２の接着剤を硬化する光硬化工程と、
前記第１の接着剤と第３の接着剤を加熱して接着剤を硬化する熱硬化工程を順次実施することを特徴とする液滴吐出ヘッドの製造方法。
【請求項７】
請求項６に記載の液滴吐出ヘッドの製造方法において、前記第１塗布工程が、
フラット部材の上に前記第１の接着剤を所定の厚さに塗布する工程と、
塗布した前記第１の接着剤側を前記各駆動素子の自由端に押し付けて、第１の接着剤を各駆動素子の自由端に転写する工程を含むことを特徴とする液滴吐出ヘッドの製造方法。
【請求項８】
列状に配置された複数のノズルと、そのノズルに夫々連通するように列状に配置された複数の圧力室と、各圧力室の一側壁をなすように列状に配置された複数の振動板を有する流路ユニットを形成する工程と、
前記振動板に対応して列状に配置された複数の駆動素子と、その駆動素子列の両端に配置された駆動素子群支持部を有するアクチュエーターユニットを形成する工程と、
前記流路ユニットとアクチュエーターユニットを接着剤で一体化する工程を含む液滴吐出ヘッドの製造方法において、
前記流路ユニットとアクチュエーターユニットを接着剤で一体化する工程が、
前記駆動素子群支持部の前記駆動素子側に第３の接着剤を塗布する第１塗布工程と、
前記各駆動素子の自由端に第１の接着剤を塗布する第２塗布工程と、
前記駆動素子群支持部の第３の接着剤の外側、または前記駆動素子群支持部の第３の接着剤の外側と対向する前記流路ユニットの部分に光硬化型の第２の接着剤を塗布する第３塗布工程と、
前記流路ユニットとアクチュエーターユニットを位置決め・接合して、前記第２の接着剤に光を照射して第２の接着剤を硬化する光硬化工程と、
前記第１の接着剤と第３の接着剤を加熱して接着剤を硬化する熱硬化工程を順次実施することを特徴とする液滴吐出ヘッドの製造方法。
【請求項９】
請求項８に記載の液滴吐出ヘッドの製造方法において、前記第２塗布工程が、
フラット部材の上に前記第１の接着剤を所定の厚さに塗布する工程と、
塗布した前記第１の接着剤側を前記各駆動素子の自由端に押し付けて、第１の接着剤を各駆動素子の自由端に転写する工程を含み、
その第１の接着剤を各駆動素子の自由端に転写する際に、前記第１塗布工程で駆動素子群支持部上に塗布した第３の接着剤を前記フラット部材で駆動素子群支持部上に押し拡げることを特徴とする液滴吐出ヘッドの製造方法。
【請求項１０】
請求項６または８に記載の液滴吐出ヘッドの製造方法において、前記アクチュエーターユニットを挿入するハウジングを有し、アクチュエーターユニットをハウジングに挿入した後に、アクチュエーターユニットと前記流路ユニットを接着剤で一体化することを特徴とする液滴吐出ヘッドの製造方法。
【請求項１１】
請求項６、８、１０いずれか１項に記載の液滴吐出ヘッドの製造方法において、前記第１の接着剤よりも第３の接着剤の方が硬化速度が速いことを特徴とする液滴吐出ヘッドの製造方法。
【請求項１２】
吐出する液体を貯留する液体タンクと、液滴吐出ヘッドと、前記液体タンクに貯留している液体を前記液滴吐出ヘッドに供給する液体供給手段を備え、前記液滴吐出ヘッドから吐出した液滴を被着媒体上に着弾する液滴吐出装置において、
前記液滴吐出ヘッドが請求項１ないし５のいずれか１項に記載の液滴吐出ヘッドであることを特徴とする液滴吐出装置。
【請求項１３】
前記液体が画像形成用インクであって、前記被着媒体が記録媒体で、請求項１２に記載の液滴吐出装置を備えたことを特徴とする画像形成装置。
【発明の詳細な説明】
【技術分野】
【０００１】
本発明は、インクジェット記録ヘッドなどの液滴吐出ヘッド及びその製造方法に係り、特にアクチュエーターに圧電素子を用いたプッシュ型の液滴吐出ヘッド及びその製造方法に関するものである。
【背景技術】
【０００２】
液滴吐出ヘッドについて、以下、インクジェット記録ヘッドを例にとって説明する。インクジェット記録ヘッドを内蔵した画像形成装置は、ノズルからインク滴を吐出して、記録媒体上に任意の画像を印刷することができ、家庭からオフィスまで幅広い分野で多用されている。また多様な液体を吐出することができることから、近年は工業用途にも用いられ、例えば液晶表示装置の製造などにも用いられている。
【０００３】
従来のインクジェット記録ヘッドについて、図１２を用いて説明する。  
ここに示すインクジェット記録ヘッドは、ノズル２０１を形成したオリフィスプレート２０２、圧力室などの流路を有するチャンバープレート２０３、圧力室の一側壁となる振動板を有するダイアフラムプレート２０４からなる三層構造の流路形成基板２０５と、圧電素子からなる駆動素子２０６を備えたアクチュエーターユニット２０７を有している。
【０００４】
そのアクチュエーターユニット２０７の駆動素子２０６とダイアフラムプレート２０３の振動板を接着剤２０８により接合した構造になっている。この図は、流路形成基板２０５とアクチュエーターユニット２０７を接合する直前の状態を示している。
【０００５】
ここでは駆動素子２０６と振動板との接合は高精度な位置決め接合装置を用い、エポキシ系接着剤により接合されている。エポキシ系接着剤は硬化に時間がかかるので生産性を向上するため、アクチュエーターユニット２０７と流路形成基板２０５を紫外線硬化接着剤２０９で仮接合して製作され、位置決め装置のスループットを改善している。
【０００６】
この例の場合、紫外線硬化接着剤２０９はアクチュエーターユニット２０７側に塗布され、ダイアフラムプレート２０４の前記紫外線硬化接着剤２０９と対向する位置には紫外線硬化接着剤２０９の流出を抑える凹部２１０が予め設けられている。このように凹部２１０を設けることにより、未硬化の接着剤２０８の混ざり合いによる紫外線硬化接着剤２０９の強度低下を防いでいる。
【０００７】
特許文献２では駆動素子と支持体の固定に固定用接着剤と仮止め用接着剤を用いており、ここでも混ざり合いを防止するため、支持体に凹部を設けて接合用接着剤の流れ出しを防止している。
【発明の概要】
【発明が解決しようとする課題】
【０００８】
前述した従来のインクジェット記録ヘッドでは、部品と部品の接合に紫外線硬化接着剤を用いた場合、紫外線が当らない箇所が必ず発生するため、未硬化分は残ることになる。構造によっては紫外線が充分に当らず表面のみ固定されることがある。この場合、仮止めという目的は果たすことは可能であるが、予期せぬ方向に流れ出して駆動素子２０６と振動板の接合部などの重要箇所に未硬化の接着剤が流れてきた場合、接合強度が低下したり、駆動素子２０６の先端部（自由端）ならびに振動板の動きを拘束するため、液滴の吐出性能を大きく変えてしまい、品質の安定性に問題がある。インクジェット記録ヘッドはプリンタなどに取り付ける時や搬送時にあらぬ方向に配置されるため、接着剤の未硬化分があれば流れ出しが進んでしまう。
【０００９】
図１２に示す構造では、紫外線硬化接着剤２０９を留めるための凹部２１０が設けられているが、インクジェット記録ヘッドのレイアウトによっては紫外線が充分に当らない部分が出ることがあり、その場合の未硬化接着剤の流れ出し防止策について配慮されていない。インクジェット記録ヘッドの配置、構成によっては未硬化接着剤の毛細管現象により凹部２１０を乗り越えていく可能性がある。特に紫外線硬化樹脂２０９は粘度が比較的低いので、凹部２１０よりも毛細管現象により引っ張られる可能性がある。接着剤２０９の塗布量と凹部２１０の大きさによっては、接着剤２０９の流れ出しが防ぎきれない可能性もある。
【００１０】
本発明は前記問題点に鑑みてなされたものであり、その目的は、仮固定用の光硬化型接着剤を用いた場合であっても、吐出特性に影響を与える重要箇所にまで前記接着剤が流れ出さない安全な接合ができ、動作信頼性に優れた液滴吐出ヘッド及びその製造方法ならびに液滴吐出装置、画像形成装置を提供することにある。
【課題を解決するための手段】
【００１１】
前記目的を達成するため、本発明の第１の手段は、列状に配置された複数のノズルと、そのノズルに夫々連通するように列状に配置された複数の圧力室と、各圧力室の一側壁をなすように列状に配置された複数の振動板を有する流路ユニットと、
前記振動板に対応して列状に配置された複数の駆動素子と、その駆動素子列の両端に配置された例えば後述するダミー素子などの駆動素子群支持部を有するアクチュエーターユニットとを備え、
前記駆動素子の自由端と前記振動板とが個々に対応するように位置合わせして接着剤で接合される液滴吐出ヘッドにおいて、
前記駆動素子の自由端と前記振動板は第１の接着剤で接合され、前記駆動素子群支持部は前記振動板の周囲と光硬化型の第２の接着剤で接合されて、前記光硬化型接着剤の未硬化接着剤が前記第１の接着剤側に流れ出るのを防止する第３の接着剤が、前記第１の接着剤と前記第２の接着剤の間に設けられていること特徴とするものである。
【００１２】
本発明の第２の手段は前記第１の手段において、前記両端に駆動素子群支持部を有する駆動素子列が複数列設けられて、その隣り合う駆動素子群支持部と駆動素子群支持部の間に前記第３の接着剤の一部が入り込んでいることを特徴とするものである。
【００１３】
本発明の第３の手段は前記第１または第２の手段において、前記第１の接着剤と前記第３の接着剤が同じ材料であることを特徴とするものである。
【００１４】
本発明の第４の手段は前記第１ないし第３の手段において、前記第１の接着剤と前記第３の接着剤が耐インク性の接着剤であることを特徴とするものである。
【００１５】
本発明の第５の手段は前記第１ないし第４の手段において、前記駆動素子群支持部は前記駆動素子よりも広い接合面積を有し、その駆動素子群支持部の駆動素子側に前記第３の接着剤が設けられ、その駆動素子群支持部の第３の接着剤の外側に前記第２の接着剤が設けられていることを特徴とするものである。
【００１６】
本発明の第６の手段は、列状に配置された複数のノズルと、そのノズルに夫々連通するように列状に配置された複数の圧力室と、各圧力室の一側壁をなすように列状に配置された複数の振動板を有する流路ユニットを形成する工程と、
前記振動板に対応して列状に配置された複数の駆動素子と、その駆動素子列の両端に配置された駆動素子群支持部を有するアクチュエーターユニットを形成する工程と、
前記流路ユニットとアクチュエーターユニットを接着剤で一体化する工程を含む液滴吐出ヘッドの製造方法において、
前記流路ユニットとアクチュエーターユニットを接着剤で一体化する工程が、
前記各駆動素子の自由端に第１の接着剤を塗布する第１塗布工程と、
前記駆動素子群支持部の前記駆動素子側に第３の接着剤を塗布する第２塗布工程と、
前記駆動素子群支持部の第３の接着剤の外側、または前記駆動素子群支持部の第３の接着剤の外側と対向する前記流路ユニットの部分に光硬化型の第２の接着剤を塗布する第３塗布工程と、
前記流路ユニットとアクチュエーターユニットを位置決め・接合して、前記第２の接着剤に光を照射して第２の接着剤を硬化する光硬化工程と、
前記第１の接着剤と第３の接着剤を加熱して接着剤を硬化する熱硬化工程を順次実施することを特徴とするものである。
【００１７】
本発明の第７の手段は、前記第６の手段において、前記第１塗布工程が、
フラット部材の上に前記第１の接着剤を所定の厚さに塗布する工程と、
塗布した前記第１の接着剤側を前記各駆動素子の自由端に押し付けて、第１の接着剤を各駆動素子の自由端に転写する工程を含むことを特徴とするものである。
【００１８】
本発明の第８の手段は、列状に配置された複数のノズルと、そのノズルに夫々連通するように列状に配置された複数の圧力室と、各圧力室の一側壁をなすように列状に配置された複数の振動板を有する流路ユニットを形成する工程と、
前記振動板に対応して列状に配置された複数の駆動素子と、その駆動素子列の両端に配置された駆動素子群支持部を有するアクチュエーターユニットを形成する工程と、
前記流路ユニットとアクチュエーターユニットを接着剤で一体化する工程を含む液滴吐出ヘッドの製造方法において、
前記流路ユニットとアクチュエーターユニットを接着剤で一体化する工程が、
前記駆動素子群支持部の前記駆動素子側に第３の接着剤を塗布する第１塗布工程と、
前記各駆動素子の自由端に第１の接着剤を塗布する第２塗布工程と、
前記駆動素子群支持部の第３の接着剤の外側、または前記駆動素子群支持部の第３の接着剤の外側と対向する前記流路ユニットの部分に光硬化型の第２の接着剤を塗布する第３塗布工程と、
前記流路ユニットとアクチュエーターユニットを位置決め・接合して、前記第２の接着剤に光を照射して第２の接着剤を硬化する光硬化工程と、
前記第１の接着剤と第３の接着剤を加熱して接着剤を硬化する熱硬化工程を順次実施することを特徴とするものである。
【００１９】
本発明の第９の手段は前記第８の手段において、前記第２塗布工程が、
フラット部材の上に前記第１の接着剤を所定の厚さに塗布する工程と、
塗布した前記第１の接着剤側を前記各駆動素子の自由端に押し付けて、第１の接着剤を各駆動素子の自由端に転写する工程を含み、
その第１の接着剤を各駆動素子の自由端に転写する際に、前記第１塗布工程で駆動素子群支持部上に塗布した第３の接着剤を前記フラット部材で駆動素子群支持部上に押し拡げることを特徴とするものである。
【００２０】
本発明の第１０の手段は前記第６または第８の手段において、前記アクチュエーターユニットを挿入するハウジングを有し、アクチュエーターユニットをハウジングに挿入した後に、アクチュエーターユニットと前記流路ユニットを接着剤で一体化することを特徴とするものである。
【００２１】
本発明の第１１の手段は前記第６、第８、第１０の手段において、前記第１の接着剤よりも第３の接着剤の方が硬化速度が速いことを特徴とするものである。
【００２２】
本発明の第１２の手段は、吐出する液体を貯留する液体タンクと、液滴吐出ヘッドと、前記液体タンクに貯留している液体を前記液滴吐出ヘッドに供給する液体供給手段を備え、前記液滴吐出ヘッドから吐出した液滴を被着媒体上に着弾する液滴吐出装置において、
前記液滴吐出ヘッドが前記第１ないし第５の手段の液滴吐出ヘッドであることを特徴とするものである。
【００２３】
本発明の第１３の手段は画像形成装置において、前記液体が画像形成用インクであって、前記被着媒体が記録媒体で、第１２の手段の液滴吐出装置を備えたことを特徴とするものである。
【発明の効果】
【００２４】
本発明は前述のような構成になっており、仮固定用の光硬化型接着剤を用いた場合であっても、吐出特性に影響を与える重要箇所にまで前記接着剤が流れ出さない安全な接合ができ、動作信頼性に優れた液滴吐出ヘッド及びその製造方法ならびに液滴吐出装置、画像形成装置を提供することにある。
【図面の簡単な説明】
【００２５】
【図１】本発明の実施例１に係るインクジェット記録ヘッドの分解斜視図である。
【図２】そのインクジェット記録ヘッドのノズル列に直交する方向における断面図である。
【図３】そのインクジェット記録ヘッドのノズル列方向における断面図である。
【図４】そのインクジェット記録ヘッドのアクチュエーターユニットと流路ユニットの接合部の拡大断面図である。
【図５】実施例１においてアクチュエーターユニットへの接着剤の塗布方法を説明するための図である。
【図６】実施例１においてアクチュエーターユニット上に第１の接着剤ならびに第３の接着剤を塗布した状態を示す斜視図である。
【図７】実施例１において接着後の各接着剤の状態を示す拡大横断面図である。
【図８】本発明の実施例２に係るインクジェット記録ベッドにおけるアクチュエーターユニットと流路ユニットの接合部の拡大断面図である。
【図９】実施例２においてアクチュエーターユニットへの接着剤の塗布方法を説明するための図である。
【図１０】実施例２においてアクチュエーターユニット上に第１の接着剤ならびに第３の接着剤を塗布した状態を示す斜視図である。
【図１１】本発明の実施例に係るインクジェット記録ヘッドを搭載した画像形成装置の斜視図である。
【図１２】従来提案されたインクジェット記録ヘッドの流路形成基板とアクチュエーターユニットを接合する直前の状態を示している側面図である。
【発明を実施するための形態】
【００２６】
以下、本発明の各実施例について図面とともに説明する。  
【実施例１】
【００２７】
図１〜３は本発明の実施例１に係るインクジェット記録ヘッドを説明するための図で、図１はインクジェット記録ヘッドの分解斜視図、図２はノズル列と直交する方向におけるインクジェット記録ヘッドの断面図、図３はノズル列方向におけるインクジェット記録ヘッドの断面図である。
【００２８】
インクジェット記録ヘッドは、多数のノズル１０が１列あるいは複数列（本実施例では２列）に配列されたオリフィスプレート１と、圧力室１１と流体抵抗となるリストリクタ１２などを有するチャンバープレート２と、圧力室１１の１側面をなす振動板１６を有するダイアフラムプレート３と、それら３枚のプレート１〜３を保持するハウジング５と、前記振動板１６を加圧してインクを吐出するエネルギーを発生するアクチュエーターユニット６から主に構成されている。
【００２９】
図示しないインクタンクから送られて来たインクは、図２に示すハウジング５内のインク供給路１９を通って共通液室２０に一旦溜められる。そこから個別のノズル１０毎の流路に分岐し、ダイアフラムプレート３のインク導入孔１７を通って、チャンバープレート２の個別のマニホールド１３→リストリクタ１２→圧力室１１を経由してノズル１０に至る。
【００３０】
そして振動板１６を変位させることにより、圧力室１１内の体積を変化させてノズル１０からインク滴を吐出する。リストリクタ１２はインクの供給と圧力室１１からのインクの逆流を防ぐ役割を持ち、個別のマニホールド１３は隣接するノズル１０からのインク導入時の干渉を減らすためのものである。本実施例ではノズル１０は２列あり、それぞれの列に連通するように各流路が配置されている。よってノズル１０の列毎にインクを変えることも同じインクにすることも可能である。
【００３１】
ステンレス板をプレス加工することにより、ノズル１０を精密に形成したオリフィスプレート１を得ることができる。他にもポリイミド樹脂のレーザー加工、シリコン（Ｓｉ）のドライエッチング、ニッケル電鋳などにより成形したものも用いられる。ノズル１０は基準ピン穴２６ａ（図１参照）を基準に製作される。
【００３２】
チャンバープレート２は、ステンレス板のプレス加工によって圧力室１１−リストリクタ１２−マニホールド１３を同時に成形する。ここではパンチ形状を瓢箪状に形成しており、くびれた部分がリストリクタ１２であり、中央に近い側が圧力室１１、外側にあるのがマニホールド１３である。他にもシリコン（Ｓｉ）のウェットエッチング、ニッケル電鋳などによって形成することもできる。各圧力室１１は基準ピン穴２６ｂ（図１参照）を基準に製作される。
【００３３】
チャンバープレート２のマニホールド１３からプレート外側にかけて、凹み状のダンパー逃げ部１４が設けられる。これはハーフエッチングで形成され、ダイアフラムプレート３に設けられたダンパー１８の動きを抑制しないためのものである。
【００３４】
ダイアフラムプレート３は、ポリイミドとステンレスの積層板をエッチングしてステンレス部をパターニングで部分的に除去することにより形成される。またニッケル電鋳、ステンレス板のハーフエッチングなどで形成したものも用いることができる。ポリイミド部が圧力室１１の一面を形成する薄くて柔らかい振動板１６を構成し、その周囲をステンレス部が補強する形態になっている。
【００３５】
ダイアフラムプレート３には島状の凸部１５と、振動板１６と、インク導入孔１７と、ダンパー１８が、それぞれ所定の位置に形成される。前記凸部１５は振動板１６を効率的に加圧するためのもので、ステンレス部で構成される。この凸部１５は基準ピン穴２６ｃ（図１参照）を基準に製作される。
【００３６】
前記インク導入孔１７はチャンバープレート２のマニホールド１３と重なる位置に配置され、ハウジング５のインクをマニホールド１３に流す役割がある。ダンパー１８は共通液室２０の圧力変動を抑えるためのもので、インク導入孔１７の外側に配置される。ダンパー１８は、チャンバープレート２のダンパー逃げ部１４と位置が一致するように配置される。
【００３７】
オリフィスプレート１、チャンバープレート２、ダイアフラムプレート３はそれぞれの基準ピン穴２６ａ〜２６ｃ（図１参照）に基準ピンを挿入することで位置決めされて、一体に接合することにより流路形成基板４を形成する。接合は接着剤によるもので、ここではチャンバープレート２の両面に接着剤を塗布して加圧することによって行なわれ、接着剤としては耐インク性が高いものが望ましい。
【００３８】
ハウジング５はステンレスの機械加工で成形されが、樹脂の射出成形品を用いることもできる。ハウジング５には、２つの共通液室２０と、それぞれの共通液室２０に繋がるインク供給路１９が２つ（合計４つ）と、アクチュエーターユニット６を挿入するアクチュエーター挿入部２１が設けられている。アクチュエーター挿入部２１とアクチュエーターユニット６とのクリアランスは可能な限り小さい方が、ヘッド剛性が高くなりクロストーク性能が向上する。
【００３９】
流路形成基板４とハウジング５は図示しない接合装置を用いて光学アライメントで接合されて、流路ユニット７となる（図２参照）。両者の接合は流路形成基板４の接合に用いたものと同じ接着剤で行なわれ、インクに直接触れるため耐インク性の高い接着剤が使用される。
【００４０】
アクチュエーターユニット６は、積層型圧電素子からなる駆動素子２２とバックプレート２４とＦＰＣ２５からなる。圧電素子（駆動素子２２）は電気信号を受けると伸縮変位するもので、材質としてここではＰＺＴ（チタン酸ジルコン酸鉛）が望ましい。バックプレート２４は圧電素子（駆動素子２２）の変位を受けるもので、材質としてここではＳＵＳ４３０を用いる。ＦＰＣ２５は圧電素子（駆動素子２２）に電気信号を印加するもので、図示していないがノズル数に応じた個別配線パターンと共通電極パターンを有している。
【００４１】
アクチュエーターユニット６の製作方法の一例を説明する。  
まずバックプレート２４の端面に、棒状のＰＺＴを２本平行に若干の隙間を持って貼り付ける。次にＰＺＴをダイシング加工して短冊状または櫛歯状に加工し、図３に示すようにノズル１０に対応した駆動素子２２と、駆動素子２２間に配置される非駆動素子３５と、駆動素子２２列の両側に配置されるダミー素子２３とを形成する。
【００４２】
駆動素子２２は、ＦＰＣ２５の導電パターン（図示せず）に接続され入出力信号により変位する。非駆動素子３５は駆動素子２２とほぼ同じ幅で、電気信号は印加されない。ＰＺＴはノズル１０列よりも長いものとなる。
【００４３】
図３、図４に示すようにダミー素子２３の横幅Ｗ１は駆動素子２２の横幅Ｗ２よりも長く設計されており、従ってダミー素子２３は駆動素子２２よりも剛性が高くなっている。このダミー素子２３は、アクチュエーターユニット６と流路ユニット７を接合する際、アクチュエーター（駆動素子２２、非駆動素子３５）が過度にダイアフラムプレート３に押し込まないように制限する位置決めの役割を有している。
【００４４】
本実施例ではダミー素子２３を圧電素子で構成したが、例えばバックプレート２４を延長して駆動素子群支持部を構成しても良い。
【００４５】
アクチュエーターユニット６は、流路ユニット７と図示しない位置決め装置を用いて接合される。図４はその接合部の拡大断面図である。アクチュエーターユニット６と流路ユニット７の接合は駆動素子２２と凸部１５を位置合わせした状態で行なわれる。接合には駆動素子２２ならびに非駆動素子３５と凸部１５を接合する第１の接着剤３０と、ダミー素子２３とダイアフラムプレート３を仮接合する仮固定用の第２の接着剤３１と、第１の接着剤３０と第２の接着剤３１の間に第３の接着剤３２が用いられる。
【００４６】
アクチュエーターユニット６への接着剤の塗布方法について図５を用いて示す。  
駆動素子２２ならびに非駆動素子３５への接着剤の塗布には、転写法が好適である。転写法は同図（ａ）に示すように、所定の剛性を有しているフラット板３６の上に接着剤３０を塗布し、スキージで所定の厚さに掻き取り、そこに部品を押し付けることにより接着剤３０を均一に塗布する方法である。
【００４７】
同図（ａ）に示すように、フラット板３６の上に接着剤３０を塗布した転写部材を駆動素子２２ならびに非駆動素子３５の先端部（自由端）にフラット板３６を介して押し付けることにより、同図（ｂ）に示すように各素子の先端部（自由端）に所定の厚さの接着剤３０が効率よく転写・塗布される。接着剤３０としては二液性のエポキシ系接着剤が望ましい。なお、フラット板３６上のダミー素子２３と対向する位置には接着剤３０は塗布されていない。このようにフラット板３６の両側には接着剤３０が塗布されていないから、フラット板３６の取り扱いが容易である。前記フラット板３６は、接着剤３０に対する剥離性の良好な材質か、剥離性を良好にするための表面処理が施されたものが使用される。
【００４８】
次に同図（ｃ）に示すように、駆動素子２２群の両端に設けられたダミー素子２３の約半分から内側の位置に、第３の接着剤３２をディスペンサー３３で所定量塗布する。塗布量と塗布箇所は第３の接着剤３２のはみだしの状態により変わり、接合時に加圧した際に第３の接着剤３２が駆動素子２２まで流れ込まない量に規制されている。第３の接着剤３２は、第２の接着剤３１よりも高粘度で流れ出しが少なく、常温で素早く硬化あるいは半硬化する接着剤であることが望ましい。
【００４９】
図６は、アクチュエーターユニット６上に第１の接着剤３０ならびに第３の接着剤３２を塗布した状態を示す斜視図である。同図に示すように、広い接合面積を有するダミー素子２３の上には、所定量の第３の接着剤３２が塗布されている。
【００５０】
次に同図（ｄ）に示すように、ダミー素子２３の外側端部に仮固定用の第２の接着剤３１をディスペンサー３３により塗布する。本実施例は、紫外線を照射すると硬化反応が開始される紫外線硬化型接着剤を用いる。この第２の接着剤３１も、流れ出しがなるべく少ない接着剤が望ましい。図示していないがダミー素子２３の端面で前記第３の接着剤３２と第２の接着剤３１の境界付近にＶ溝やスリットなどの溜め部を設ければ、第２の接着剤３１の流れ出しが抑制できて好ましい。
【００５１】
全ての接着剤の塗布が完了した後、ハウジング５のアクチュエーター挿入部２１にアクチュエーターユニット６を挿入して、アクチュエーターユニット６の素子側端面をハウジング５の開口部から露呈し、それをダイアフラムプレート３に位置決めして接合される。接合後、紫外線の照射により前記第２の接着剤３１を硬化させる。第２の接着剤３１は紫外線の照射により極めて短時間（数秒程度）に硬化するから、仮固定が効率よく行われる。その後、図示しない治具でアクチュエーターユニット６と流路ユニット７を加圧して温度を上げて、前記第１の接着剤３０と第３の接着剤３２を硬化させる。このとき、第１の接着剤３０よりも第３の接着剤３２の方が硬化速度の速い接着剤であることが望ましい。
【００５２】
ここではアクチュエーターユニット６をハウジング５内に挿入して、アクチュエーターユニット６とダイアフラムプレート３を接合し、アクチュエーター挿入部２１とアクチュエーターユニット６の隙間部から前記接着剤３１に紫外線を照射する方法を採用している。そのためハウジング５が部分的に邪魔になり、紫外線の照射が十分に行き渡らず、接着剤３１が完全に硬化しきれないという問題がある。
【００５３】
この問題を解消するため、アクチュエーターユニット６とダイアフラムプレート３を接合し、紫外線を照射して前記接着剤３１を十分に硬化させた後に、アクチュエーターユニット６をハウジング５に挿入すれば、紫外線を狭い箇所にも照射できるので未硬化接着剤を殆ど無くすこともできる。しかし、この接合方法ではアクチュエーターユニット６を接着する温度に制限が加わり、使用できる接着剤の選択範囲が狭まる。
【００５４】
その理由は、アクチュエーターは非常に微細な駆動素子２２によって構成され、更には３種類の材質により形成されているので、熱膨張係数の差により駆動素子２２が破損する可能性がある。そこでアクチュエーターは６０℃以下の温度で接着する必要があり、前述のように使用できる接着剤の選択範囲が制限される。
【００５５】
本実施例ではアクチュエーターユニット６をハウジング５内に挿入することにより、アクチュエーターユニット６を熱的に保護した状態で、ダイアフラムプレート３と接着する方法を採用している。これによりダイアフラムプレート３とアクチュエーターユニット６の接着に、耐インク性に優れた例えば硬化温度が１００℃以上の一液性エポキシ系接着剤などのように接着温度が高い接着剤を用いることができ、接着剤の適用範囲が拡張され、しかも耐インク性に優れた接着剤の使用が可能となる。
【００５６】
ただしこの方法では前述のように、紫外線の照射が十分に行き渡らず、接着剤３１が完全に硬化しきれないという問題がある。この問題に対処するため、第１の接着剤３０と第２の接着剤３１の間に第３の接着剤３２を設けておき、第２の接着剤３１の未硬化分が凸部１５と駆動素子２２の接合部側に流出することを第３の接着剤３２により堰き止めている。
【００５７】
図７は、接着後の各接着剤３０〜３２の状態を示す拡大横断面図である。第１の接着剤３０は振動素子２２と凸部１５を接着するに必要な量しか塗布されていないが、第３の接着剤３２は第１の接着剤３０よりも多めに塗布されている。そのためアクチュエーターユニット６にダイアフラムプレート３を圧着した際、図に示すように第３の接着剤３２は周囲に押し拡げられて、ダミー素子２３の周りからダミー素子２３とダミー素子２３の間にも第３の接着剤３２が流れ込み、ダミー素子２３とダミー素子２３の間が第３の接着剤３２で塞がれた状態になる。換言すれば、ダミー素子２３とダミー素子２３の間を第３の接着剤３２で塞くことのできる量の第３の接着剤３２が使用されている。従って硬化反応が十分に進行していない流動性の第２の接着剤３１が、振動素子２２側に流出することが確実に防止できる。
【００５８】
本実施例では第２の接着剤３１をダミー素子２３に塗布したが、ダイアフラムプレート３のダミー素子２３と対向する箇所に第２の接着剤３１を塗布しても構わない。
【００５９】
以上のように構成されたインクジェット記録ヘッドは、駆動素子２２に電気信号が印加されると収縮し、振動板１６を介して圧力室１１の容積を膨張させて、インクを共通液室２０−マニホールド１３−リストリクタ１２から圧力室１１に引き込み、その後駆動素子２２を伸張し、圧力室１１の容積を収縮させてノズル１０からインク滴を吐出させることができる。
【実施例２】
【００６０】
図８は、本発明の実施例２に係るインクジェット記録ベッドの拡大断面図である。本実施例では、第１の接着剤３０と第３の接着剤３２を同じ材質とし、更に第３の接着剤３２の塗布量を第１の接着剤３０の塗布量よりも多くしている。
【００６１】
図９より、アクチュエーターユニット６への接着剤の塗布方法を説明する。まず同図（ａ）に示すように、第３の接着剤３２をディスペンサー３３でダミー素子２３の内側端部に塗布する。この塗布量は、第１の接着剤３０の塗布量よりも多い。  
次に同図（ｂ）に示すように、第１の接着剤３０を前記実施例１と同様の転写法により塗布する。この第１の接着剤３０の転写により、同図（ｃ）に示すように先に塗布した第３の接着剤３２はフラット板３６によって押し潰される。図１０はアクチュエーターユニット６上に第１の接着剤３０ならびに第３の接着剤３２を塗布した状態を示す斜視図である。同図に示すように、広い接合面積を有するダミー素子２３の上には、所定量の第３の接着剤３２が載っている。
【００６２】
次に図９（ｄ）に示すように、仮固定用の第２の接着剤３１（紫外線硬化接着剤）をディスペンサー３３でダミー素子２３の外側端部に塗布するし、しかる後、アクチュエーターユニット６を流路ユニット７と接合、接着する。
【００６３】
本実施例では、第１の接着剤３０と第３の接着剤３２は同じ材質のものを使用しているから、２種類の接着剤で接合が完了し、接着剤の管理が簡易になり組立が容易となる。
【００６４】
また本実施例では、第１の接着剤３０の転写時に第３の接着剤３２が押しつぶされて駆動素子２２列の間に第３の接着剤３２が一部押し込まれるので、駆動素子２２列の間からの未硬化紫外線硬化接着剤の侵入を防ぐことができる。このように第３の接着剤３２の一部が駆動素子２２列の間に押し込まれるのを見込んで、第３の接着剤３２は第１の接着剤３０よりも多量に塗布される。
【００６５】
図１１は、前記実施例に係るインクジェット記録ヘッドを搭載した画像形成装置の斜視図である。  
インクジェット記録ヘッド５０は、図示しないタイミングベルトに連結された駆動モータの正逆転によりフレームから平行に延びたガイド軸１０６，１０７上を往復移動しながら、搬送ローラ１０８によって搬送される用紙などの記録媒体１００上にインク滴を吐出して文字や図形などの画像を印刷する。
【００６６】
インクジェット記録ヘッド５０へのインクの供給は、メインインクタンク１０３から供給チューブ１０４を経由してサブインクタンク１０１へ送られる。さらに供給チューブ１０４を経由して、インクジェット記録ヘッド５０へ供給される。
【００６７】
ヘッド保全部１０２は、印刷していない時にインクジェット記録ヘッド５０のノズルからのインクの乾燥や異物の付着を防止するためにキャップ１０５、あるいは図示していないが、ノズル面に付着したインクなどを除去するためのワイパーブレードなどが設けられている。前記キャップ１０５は、サブインクタンク１０１からインクジェット記録ヘッド５０内にインクを充填するときやインクジェット記録ヘッド５０内に停滞した気泡を除去する目的で実施されるパージ動作をするときの吸引キャップとしても利用される。
【００６８】
インクジェット記録ヘッド５０の各ノズルにはシアン、マゼンタ、イエロー、黒のインクが個別に供給されて吐出され、記録媒体１００上で各色のインクを重ね合わせてカラー画像を形成することができる。
【００６９】
この実施例において、液滴吐出装置は、吐出する液体を貯留するメインインクタンク１０３ならびにサブインクタンク１０１などの液体タンクと、インクジェット記録ヘッド５０からなる液滴吐出ヘッドと、前記液体タンクに貯留している液体を液滴吐出ヘッドに供給する供給チューブ１０４などの液体供給手段などを備えている。
【００７０】
前記実施例では光硬化型接着剤として紫外線硬化型接着剤を使用したが、例えば電子線硬化型接着剤など他の光硬化型接着剤を使用することもできる。
【産業上の利用可能性】
【００７１】
前記実施例ではインクジェット記録ヘッドについて説明したが、本発明は例えば液晶ディスプレー用カラーフィルータの製造に用いられる色材液、有機ＥＬディスプレイ用電極膜の製造に用いられる電極液材などの各種液体を吐出する液滴吐出ヘッドにも適用できる。
【００７２】
本発明の請求項（手段）毎の作用効果を示せば下記の通りである。  
請求項１のように、駆動素子の自由端と振動板は第１の接着剤で接合され、駆動素子群支持部は振動板の周囲と光硬化型の第２の接着剤で接合されて、その光硬化型接着剤の未硬化接着剤が前記第１の接着剤側に流れ出るのを防止する第３の接着剤が、前記第１の接着剤と前記第２の接着剤の間に設けられているから、仮固定用の光硬化型接着剤を用いた場合であっても、吐出特性に影響を与える重要箇所にまで前記接着剤が流れ出さない安全な接合ができ、動作信頼性に優れている。
【００７３】
請求項２のように、隣り合う駆動素子群支持部と駆動素子群支持部の間に第３の接着剤の一部が入り込んでいるため、第３の接着剤によって未硬化の接着剤の流れ出しがより確実に防止できる。
【００７４】
請求項３のように、第１の接着剤と第３の接着剤が同じ材料であると、管理する接着剤の種類を減らすことができ、コストダウンが図れると共に、工程管理が容易となる。
【００７５】
請求項４のように、第１の接着剤と第３の接着剤が耐インク性の接着剤であると、長期間にわたって安定した接着効果が得られる。
【００７６】
請求項５のように、駆動素子群支持部が駆動素子よりも広い接合面積を有し、その駆動素子群支持部の駆動素子側に第３の接着剤を塗布する構造になっているから、第３の接着剤の使用量が十分に確保でき、第２の接着剤の流出防止効果が確実である。
【００７７】
請求項６ならびに８のように、第２の接着剤を塗布する前に第３の接着剤を塗布するため、第２の接着剤を塗布する領域以外の表面は第３の接着剤で覆われているから、第２の接着剤の流出エリアが制限され、第２の接着剤の流出防止に効果的である。
【００７８】
請求項７ならびに９のように、第１の接着剤を転写法によって塗布すれば、各素子に対する塗布作業が効率的に行われ、また、第１の接着剤の塗布量も一定しており、液体の吐出特性が安定している。
【００７９】
請求項１０のように、アクチュエーターユニットをハウジングに挿入した後に、アクチュエーターユニットと流路ユニットを接着剤で一体化するため、駆動素子への熱的影響がハウジングによって抑制され、そのために接着剤の選択範囲を拡張することができる。
【００８０】
請求項１１のように、第１の接着剤よりも第３の接着剤の方が硬化速度が速いことにより、第３の接着剤による未硬化の接着剤の流出防止がより確実に発揮できる。
【００８１】
請求項１２ならびに請求項１３により、動作信頼性に優れた液滴吐出装置ならびに画像形成装置を提供することができる。
【符号の説明】
【００８２】
１：オリフィスプレート、２：チャンバープレート、３：ダイアフラムプレート、４：流路形成基板、５：ハウジング、６：アクチュエーターユニット、７：流路ユニット、１０：ノズル、１１：圧力室、１２：リストリクタ、１３：個別マニホールド、１４：ダンパー逃げ部、１５：凸部、１６：振動板、１７：インク導入孔、１８：ダンパー、１９：インク供給路、２０：共通液室、２１：アクチュエーター挿入部、２２：駆動素子、２３：ダミー素子、２４：バックプレート、２５：ＦＰＣ、２６：基準ピン穴、３０：第１の接着剤、３１：第２の接着剤、３２：第３の接着剤、３３：ディスペンサー、３４：凹部、３５：非駆動素子、６３：フラット板、５０：インクジェット記録ヘッド、１００：記録媒体、１０１：サブインクタンク、１０２：ヘッド保全部、１０３：メインインクタンク、１０４：供給チューブ、１０５：キャップ、１０６、１０７：ガイド軸、１０８：搬送ローラ、Ｗ１：ダミー素子の横幅、Ｗ２：駆動素子の横幅。
【先行技術文献】
【特許文献】
【００８３】
【特許文献１】特開２００３−２７６２０７号公報
【特許文献２】特開２００６−３１２２５２号公報
【特許文献３】特許第３２６２１３４号公報
【図１】
2010201781.tif 000003
【図２】
2010201781.tif 000004
【図３】
2010201781.tif 000005
【図４】
2010201781.tif 000006
【図５】
2010201781.tif 000007
【図６】
2010201781.tif 000008
【図７】
2010201781.tif 000009
【図８】
2010201781.tif 000010
【図９】
2010201781.tif 000011
【図１０】
2010201781.tif 000012
【図１１】
2010201781.tif 000013
【図１２】
2010201781.tif 000014